(57)【特許請求の範囲】
【請求項１】
複数のホーム基地局及び１つのコーディネータを含む無線セルラー通信ネットワークにおいてホーム基地局が協調できるようにするための方法であって、
前記方法は、前記コーディネータによって実行される複数のステップとして、
‐１つのホーム基地局から、前記ホーム基地局が少なくとも１つの他のホーム基地局と協調するために利用可能であることを通知するメッセージを受信するステップと、
‐前記メッセージを転送した前記ホーム基地局の隣接局であるホーム基地局のリストを入手するステップと、
‐前記メッセージを転送した前記ホーム基地局の隣接局である少なくとも１つのホーム基地局が、少なくとも１つの他のホーム基地局と協調するために利用可能であるか否かを調べるステップと、
‐前記メッセージを転送した前記ホーム基地局と、前記少なくとも１つのホーム基地局（ただし、前記ホーム基地局の隣接局であると共に、協調するために利用可能であるもの）とによって使用されるべき共通パラメータを決定するステップと、
‐前記メッセージを転送した前記ホーム基地局に、及び／又は、前記少なくとも１つのホーム基地局（ただし、前記ホーム基地局の隣接局であると共に、協調するために利用可能であるもの）に、前記決定された共通パラメータを転送するステップと、
‐前記メッセージを転送した前記ホーム基地局との接続、および、前記少なくとも１つのホーム基地局（ただし、前記ホーム基地局の隣接局であると共に、協調するために利用可能であるもの）との接続を確立するステップであって、
前記接続の確立は、
前記メッセージを転送した前記ホーム基地局から受信される情報を、前記又は各ホーム基地局（ただし、前記ホーム基地局の隣接局であると共に、協調するために利用可能であるもの）に中継することによって、及び／又は、
前記又は各ホーム基地局（ただし、前記ホーム基地局の隣接局であると共に、協調するために利用可能であるもの）から受信される情報を、前記メッセージを転送した前記ホーム基地局に中継することによって、
なされる、接続を確立するステップと
を含むことを特徴とする、方法。
【請求項２】
‐前記メッセージを転送した前記ホーム基地局から、前記協調のための要件を表す情報を受信するステップと、
‐前記少なくとも１つのホーム基地局（ただし、前記ホーム基地局の隣接局であると共に、協調するために利用可能であるもの）が提供できる資源が前記要件に適合するか否かを調べるステップと、
‐前記少なくとも１つのホーム基地局（ただし、前記ホーム基地局の隣接局であると共に、協調するために利用可能であるもの）が提供できる資源が前記要件に適合する場合にのみ前記接続を確立するステップと
をさらに含むことを特徴とする、請求項１に記載の方法。
【請求項３】
‐ホーム基地局の協調のための利用可能性に関する統計値を求めるステップと、
‐前記メッセージを転送した前記ホーム基地局の隣接局であるホーム基地局が、いずれも協調するために利用可能でない場合には、前記メッセージを転送した前記ホーム基地局の隣接局である少なくとも１つのホーム基地局が、協調するために利用可能になる可能性があるか否かを判断するステップと、
‐前記メッセージを転送した前記ホーム基地局の隣接局である少なくとも１つのホーム基地局が、協調するために利用可能になる可能性がある場合には、前記メッセージを転送した前記ホーム基地局に待機通知を転送するステップと
をさらに含むことを特徴とする、請求項２に記載の方法。
【請求項４】
前記メッセージを転送した前記ホーム基地局の隣接局であるいかなるホーム基地局も協調するために利用可能になる可能性がない場合には、前記メッセージを転送した前記ホーム基地局に、協調セッションが受け入れられないことを通知するステップをさらに含むことを特徴とする、請求項３に記載の方法。
【請求項５】
‐ホーム基地局の協調のための利用可能性に関する統計値を求めるステップと、
‐前記メッセージを転送した前記ホーム基地局の隣接局である少なくとも１つのホーム基地局が提供できる資源が前記要件に適合するようになる可能性があるか否かを判断するステップと、
‐前記メッセージを転送した前記ホーム基地局の隣接局である少なくとも１つのホーム基地局が提供できる資源が前記要件に適合するようになる可能性がある場合には、前記メッセージを転送した前記ホーム基地局に待機通知を転送するステップと
をさらに含むことを特徴とする、請求項２に記載の方法。
【請求項６】
前記メッセージを転送した前記ホーム基地局の隣接局である少なくとも１つの基地局が提供できる資源が前記要件に適合するようになる可能性がない場合には、前記メッセージを転送した前記ホーム基地局に、協調セッションが受け入れられないことを通知するステップをさらに含むことを特徴とする、請求項５に記載の方法。
【請求項７】
‐１つのホーム基地局から、前記ホーム基地局が協調するために利用可能でないことを通知するメッセージを受信するステップと、
‐前記ホーム基地局が協調するために利用可能でないことを通知する前記メッセージを転送した前記ホーム基地局の、協調のための利用可能性に関する統計値を求めるステップと、
‐前記ホーム基地局が協調するために利用可能でないことを通知する前記メッセージを転送した前記ホーム基地局との前記接続を解放すると共に、前記ホーム基地局が利用可能でないことを通知する前記メッセージを転送した前記ホーム基地局と協調している前記少なくとも１つのホーム基地局との前記接続を解放するステップと
をさらに含むことを特徴とする、請求項１〜６のいずれか一項に記載の方法。
【請求項８】
前記ホーム基地局のうちの１つによってハンドリングされる移動端末のハンドオーバを実行することによって、少なくとも２つのホーム基地局が協調することを特徴とする、請求項１〜７のいずれか一項に記載の方法。
【請求項９】
共同協調マルチポイント伝送を実行することによって、少なくとも２つのホーム基地局が協調することを特徴とする、請求項１〜７のいずれか一項に記載の方法。
【請求項１０】
前記メッセージを転送した前記ホーム基地局の隣接局であるホーム基地局の前記リストは、前記メッセージを転送した前記ホーム基地局によってハンドリングされる少なくとも１つの移動端末によって転送される少なくとも１つの測定報告から入手され、及び／又は、前記メッセージを転送した前記ホーム基地局の測定値によって入手されることを特徴とする、請求項１〜９のいずれか一項に記載の方法。
【請求項１１】
ホーム基地局が、移動端末が関与する新たな通信を引き受けるだけの十分な資源を有する場合には、前記ホーム基地局は少なくとも１つの他のホーム基地局と協調するために利用可能であることを特徴とする、請求項１〜１０のいずれか一項に記載の方法。
【請求項１２】
前記通信ネットワーク上のホーム基地局間のリンク品質が所定の値よりも高い場合には、前記ホーム基地局は少なくとも１つの他のホーム基地局と協調するために利用可能であることを特徴とする、請求項１〜１１のいずれか一項に記載の方法。
【請求項１３】
ホーム基地局のホルダが前記ホーム基地局を協調モードに構成する場合には、前記ホーム基地局は少なくとも１つの他のホーム基地局と協調するために利用可能であることを特徴とする、請求項１〜１２のいずれか一項に記載の方法。
【請求項１４】
複数のホーム基地局及び１つのコーディネータを含む無線セルラー通信ネットワークにおいてホーム基地局が協調できるようにするためのデバイスであって、
前記デバイスは前記コーディネータ内に収容され、
前記デバイスは、
‐１つのホーム基地局から、前記ホーム基地局が少なくとも１つの他のホーム基地局と協調するために利用可能であることを通知するメッセージを受信する手段と、
‐前記メッセージを転送した前記ホーム基地局の隣接局であるホーム基地局のリストを入手する手段と、
‐前記メッセージを転送した前記ホーム基地局の隣接局である少なくとも１つのホーム基地局が、少なくとも１つの他のホーム基地局と協調するために利用可能であるか否かを調べる手段と、
‐前記メッセージを転送した前記ホーム基地局と、前記少なくとも１つのホーム基地局（ただし、前記ホーム基地局の隣接局であると共に、協調するために利用可能であるもの）とによって使用されるべき共通パラメータを決定する手段と、
‐前記メッセージを転送した前記ホーム基地局に、及び／又は、前記少なくとも１つのホーム基地局（ただし、前記ホーム基地局の隣接局であると共に、協調するために利用可能であるもの）に、前記決定された共通パラメータを転送する手段と、
‐前記メッセージを転送した前記ホーム基地局との接続、及び、前記少なくとも１つのホーム基地局（ただし、前記ホーム基地局の隣接局であると共に、協調するために利用可能であるもの）との接続を確立する手段であって、
前記接続の確立は、
前記メッセージを転送した前記ホーム基地局から受信される情報を、前記又は各ホーム基地局（ただし、前記ホーム基地局の隣接局であると共に、協調するために利用可能であるもの）に中継することによって、及び／又は、
前記又は各ホーム基地局（ただし、前記ホーム基地局の隣接局であると共に、協調するために利用可能であるもの）から受信される情報を、前記メッセージを転送した前記ホーム基地局に中継することによって、
なされる、接続を確立する手段と
を備えることを特徴とする、デバイス。
【請求項１５】
プログラム可能なデバイス内に直接ロード可能であり得るコンピュータプログラムであって、
前記コンピュータプログラムがプログラム可能なデバイスにおいて実行されるときに、請求項１〜１３のいずれか一項に記載の方法のステップを実施するための命令又はコード部分を含む、コンピュータプログラム。
【発明の詳細な説明】
【技術分野】
【０００１】
本発明は包括的には無線セルラー通信ネットワークにおいてホーム基地局が協調できるようにするための方法及びデバイスに関する。
【０００２】
従来の無線セルラー通信ネットワークは、広いエリアにおいて、無線サービスのカバレージ(coverage)を提供する。無線セルラー通信ネットワークのカバレージエリアを覆うために、マクロセルが用いられる。
【０００３】
１つのマクロセルは約１０ｋｍ2のカバレージエリアを有する。
【０００４】
各セルは１つの基地局によって制御される。移動端末のためのハンドオーバの準備／起動、負荷バランシング、干渉管理、協調マルチポイント伝送、又は基地局とその隣接基地局との協調を必要とする任意の他の機能を果たすために、その基地局は、隣接セルを制御する各基地局に接続されなければならない。
【０００５】
基地局のセットアップ時に、その基地局は無線インタフェース、ネットワークインタフェースを構成する、すなわち、隣接する基地局との接続リンク及びサーバを構成し、パイロット信号等と共に、ブロードキャストチャネルにおいて送信を開始する。
【０００６】
基地局によって管理されるセル内に位置する移動端末は、その移動端末が位置するセルを現在管理している基地局から周囲の基地局のうちの１つによって管理される別のセルへのハンドオーバを準備／起動するために、又はその移動端末をハンドリングする基地局が、負荷バランシング、干渉管理、協調マルチポイント伝送、若しくは基地局とその隣接基地局との協調を必要とする任意の他の機能を実行できるようにするために、周囲の基地局によって送信される信号に関する測定を行うことができる。
【０００７】
接続リンクの構成は、従来の無線セルラー通信ネットワークにおいて検討及び解決されるべき重要な項目である。
【０００８】
無線セルラー通信ネットワークが、約０．１ｋｍ2の小さなカバレージエリアを有するマイクロセルも含むとき、マクロセルに隣接するセルの数が増加する。接続リンクの数によって引き起こされる問題が増大する。
【０００９】
上記の問題は、ピコセル又はフェムトセルのようなより小さいカバレージエリアを有するセルになるほど重要になる。
【００１０】
公衆陸上移動網(Public Land Mobile Networks)（ＰＬＭＮ）又は無線セルラー通信ネットワークのカバレージを、ピコセル及びフェムトセルによって拡張することが提案されている。
【００１１】
ピコセルは約数千ｍ2のカバレージエリアを有し、一方、フェムトセルは、約１００ｍ2のカバレージエリアを有する。マクロセル及びマイクロセルについては、基地局に関して既に述べた様々な理由から、１つのピコセル又はフェムトセルを管理する各基地局は、そのピコセル又はフェムトセルの隣接するセルを制御する各基地局に接続されなければならない。
【００１２】
ピコセル又はフェムトセルを管理する基地局は、従来、家又は事務所内に設置され、これらは通常、ホーム基地局と呼ばれる。
【００１３】
ホーム基地局は、限られた数の移動端末だけが、無線セルラー通信ネットワークにアクセスするためにその資源を使用できるようにする。ピコセル又はフェムトセルを管理するホーム基地局は、許可された移動端末が無線セルラー通信ネットワークにアクセスするためにそのホーム基地局の資源を使用することを許可するとき、それらのホーム基地局は、これらの許可された移動端末に関連付けられる。
【００１４】
ホーム基地局は、それらの基地局がそれぞれ関連付けられる移動端末と通信するために異なる通信パラメータを使用する。
【先行技術文献】
【特許文献】
【００１５】
【特許文献１】米国特許出願公開第２００８／２６１６０２号
【特許文献２】欧州特許出願公開第１７７５９７６号
【特許文献３】米国特許出願公開第２００７／０９７９３９号
【発明の概要】
【発明が解決しようとする課題】
【００１６】
それゆえ、本発明の目的は、ホーム基地局が、それらのホーム基地局が関連付けられていない移動端末にその資源のうちの或る部分を割り当てる準備ができた場合には、それらのホーム基地局が他のホーム基地局と協調できるようにすることを意図する方法及びデバイスを提案することである。
【課題を解決するための手段】
【００１７】
このため、本発明は、複数のホーム基地局及び１つのコーディネータを含む無線セルラー通信ネットワークにおいてホーム基地局が協調できるようにするための方法であって、  前記方法は、前記コーディネータによって実行される複数のステップとして、
‐１つのホーム基地局から、前記ホーム基地局が少なくとも１つの他のホーム基地局と協調するために利用可能であることを通知するメッセージを受信するステップと、
‐前記メッセージを転送した前記ホーム基地局の隣接局であるホーム基地局のリストを入手するステップと、
‐前記メッセージを転送した前記ホーム基地局の隣接局である少なくとも１つのホーム基地局が、少なくとも１つの他のホーム基地局と協調するために利用可能であるか否かを調べるステップと、
‐前記メッセージを転送した前記ホーム基地局と、前記少なくとも１つのホーム基地局（ただし、前記ホーム基地局の隣接局であると共に、協調するために利用可能であるもの）とによって使用されるべき共通パラメータを決定するステップと、
‐前記メッセージを転送した前記ホーム基地局に、及び／又は、前記少なくとも１つのホーム基地局（ただし、前記ホーム基地局の隣接局であると共に、協調するために利用可能であるもの）に、前記決定された共通パラメータを転送するステップと、
‐前記メッセージを転送した前記ホーム基地局との接続、および、前記少なくとも１つのホーム基地局（ただし、前記ホーム基地局の隣接局であると共に、協調するために利用可能であるもの）との接続を確立するステップであって、
前記接続の確立は、
前記メッセージを転送した前記ホーム基地局から受信される情報を、前記又は各ホーム基地局（ただし、前記ホーム基地局の隣接局であると共に、協調するために利用可能であるもの）に中継することによって、及び／又は、
前記又は各ホーム基地局（ただし、前記ホーム基地局の隣接局であると共に、協調するために利用可能であるもの）から受信される情報を、前記メッセージを転送した前記ホーム基地局に中継することによって、
なされる、接続を確立するステップと
を含むことを特徴とする、方法に関する。
【００１８】
本発明はまた、複数のホーム基地局及び１つのコーディネータを含む無線セルラー通信ネットワークにおいてホーム基地局が協調できるようにするためのデバイスであって、
前記デバイスは該コーディネータ内に収容され、
前記デバイスは前記コーディネータ内に収容され、
前記デバイスは、
‐１つのホーム基地局から、前記ホーム基地局が少なくとも１つの他のホーム基地局と協調するために利用可能であることを通知するメッセージを受信する手段と、
‐前記メッセージを転送した前記ホーム基地局の隣接局であるホーム基地局のリストを入手する手段と、
‐前記メッセージを転送した前記ホーム基地局の隣接局である少なくとも１つのホーム基地局が、少なくとも１つの他のホーム基地局と協調するために利用可能であるか否かを調べる手段と、
‐前記メッセージを転送した前記ホーム基地局と、前記少なくとも１つのホーム基地局（ただし、前記ホーム基地局の隣接局であると共に、協調するために利用可能であるもの）とによって使用されるべき共通パラメータを決定する手段と、
‐前記メッセージを転送した前記ホーム基地局に、及び／又は、前記少なくとも１つのホーム基地局（ただし、前記ホーム基地局の隣接局であると共に、協調するために利用可能であるもの）に、前記決定された共通パラメータを転送する手段と、
‐前記メッセージを転送した前記ホーム基地局との接続、及び、前記少なくとも１つのホーム基地局（ただし、前記ホーム基地局の隣接局であると共に、協調するために利用可能であるもの）との接続を確立する手段であって、
前記接続の確立は、
前記メッセージを転送した前記ホーム基地局から受信される情報を、前記又は各ホーム基地局（ただし、前記ホーム基地局の隣接局であると共に、協調するために利用可能であるもの）に中継することによって、及び／又は、
前記又は各ホーム基地局（ただし、前記ホーム基地局の隣接局であると共に、協調するために利用可能であるもの）から受信される情報を、前記メッセージを転送した前記ホーム基地局に中継することによって、
なされる、接続を確立する手段と
を備えることを特徴とする、デバイスにも関する。
【００１９】
したがって、ホーム基地局が、それらのホーム基地局が関連付けられていない移動端末にその資源のうちの或る部分を割り当てる準備ができた場合には、またそれらのホーム基地局が異なる通信パラメータを使用していた場合であっても、そのホーム基地局は他のホーム基地局と協調することができる。
【００２０】
さらに、ホーム基地局間の接続の総数が削減される。２つのホーム基地局は、必要なときにのみ、すなわち、両方のホーム基地局が協調のために利用可能であるときにのみ、コーディネータを通じて互いに接続される。
【００２１】
一般に、ホーム基地局では、限られた数の移動端末しか、無線セルラー通信ネットワークにアクセスするためにそのホーム基地局の資源を使用することができない。本発明によれば、ホーム基地局が協調のために利用可能であるときに、その利用可能なホーム基地局を通じて、さらに多くの数の移動端末が無線セルラー通信ネットワークにアクセスすることを許可される場合がある。
【００２２】
特定の特徴によれば、コーディネータは、
‐メッセージを転送したホーム基地局から、協調のための要件を表す情報を受信し、
‐少なくとも１つのホーム基地局（ただし、前記ホーム基地局の隣接局であると共に、協調するために利用可能であるもの）が提供できる資源が要件に適合するか否かを調べ、
‐前記少なくとも１つのホーム基地局（ただし、前記ホーム基地局の隣接局であると共に、協調するために利用可能であるもの）が提供することができる資源が要件に適合する場合にのみ接続を確立する。
【００２３】
したがって、要求される通信サービス品質（ビットレート又はレイテンシのようなもの）を達成できる場合にのみ、ホーム基地局間の接続が確立される。
【００２４】
特定の特徴によれば、コーディネータは、
‐ホーム基地局の協調のための利用可能性に関する統計値を求め、
‐メッセージを転送したホーム基地局の隣接局であるホーム基地局が、いずれも協調するために利用可能でない場合には、メッセージを転送したホーム基地局の隣接局である少なくとも１つのホーム基地局が、協調するために利用可能になる可能性があるか否かを判断し、
‐メッセージを転送したホーム基地局の隣接局である少なくとも１つのホーム基地局が、協調するために利用可能になる可能性がある場合には、メッセージを転送したホーム基地局に待機通知を転送する。
【００２５】
したがって、コーディネータは、利用可能性に関する統計値が使用されない場合に比べて、メッセージを転送したホーム基地局のための協調グループ形成を改善する。
【００２６】
これは、メッセージを転送したホーム基地局からの要求毎に、メッセージを転送したホーム基地局と協調することができるホーム基地局の数を増やすことになり、その協調サービス要求を実現する。
【００２７】
特定の特徴によれば、コーディネータは、メッセージを転送したホーム基地局の隣接局であるいかなるホーム基地局も協調するために利用可能になる可能性がない場合には、メッセージを転送したホーム基地局に、協調セッションが受け入れられないことを通知する。
【００２８】
したがって、メッセージを転送したホーム基地局の資源が節約され、協調するホーム基地局が見つからない場合、又は将来において協調する基地局が見つかる可能性がない場合には、メッセージを転送したホーム基地局において、協調のための資源は割り当てられない。
【００２９】
特定の特徴によれば、コーディネータは、
ホーム基地局の協調のための利用可能性に関する統計値を求め、
メッセージを転送したホーム基地局の隣接局である少なくとも１つのホーム基地局が提供できる資源が要件に適合するようになる可能性があるか否かを判断し、
メッセージを転送したホーム基地局の隣接局である少なくとも１つのホーム基地局が提供できる資源が要件に適合するようになる可能性がある場合には、メッセージを転送したホーム基地局に待機通知を転送する。
【００３０】
したがって、コーディネータは、利用可能性に関する統計値が使用されない場合に比べて、メッセージを転送したホーム基地局のための協調グループ形成を改善する。
【００３１】
これは、メッセージを転送したホーム基地局からの要求毎に、メッセージを転送したホーム基地局と協調することができるホーム基地局の数を増やすことになり、その協調サービス要求を実現する。
【００３２】
特定の特徴によれば、コーディネータは、メッセージを転送したホーム基地局の隣接局である少なくとも１つの基地局が提供できる資源が要件に適合するようになる可能性がない場合には、メッセージを転送したホーム基地局に、協調セッションが受け入れられないことを通知する。
【００３３】
したがって、要件を達成することができる場合にのみ、協調が確立される。
【００３４】
特定の特徴によれば、コーディネータは、
‐１つのホーム基地局から、該ホーム基地局が協調するために利用可能でないことを通知するメッセージを受信し、
‐ホーム基地局が協調するために利用可能でないことを通知するメッセージを転送したホーム基地局の、協調のための利用可能性に関する統計値を求め、
‐ホーム基地局が協調するために利用可能でないことを通知するメッセージを転送したホーム基地局との接続を解放すると共に、ホーム基地局が利用可能でないことを通知するメッセージを転送したホーム基地局と協調している少なくとも１つのホーム基地局との接続を解放する。
【００３５】
したがって、メッセージを転送したホーム基地局及び協調するホーム基地局が協調のために利用可能である場合にのみ、コーディネータは、それらのホーム基地局間の接続を維持する。協調のために利用可能でないホーム基地局に対する不要な資源割当てを回避するために、コーディネータは、協調のために利用不可能であることを利用するであろう。
【００３６】
特定の特徴によれば、ホーム基地局のうちの１つによってハンドリングされる移動端末のハンドオーバを実行することによって、少なくとも２つのホーム基地局が協調する。
【００３７】
したがって、コーディネータは、無線リンク障害又はサービス障害を解消するために、そのホーム基地局によってハンドリングされる少なくとも１つの移動端末がホーム基地局の協調グループからの少なくとも１つの基地局へのハンドオーバを起動するのを助ける。
【００３８】
１つの協調するホーム基地局によってハンドリングされる少なくとも１つの移動端末は、協調セッション中に良好なリンク品質を維持するために、コーディネータに接続される協調するホーム基地局のグループのうちの少なくとも１つの協調するホーム基地局に、ハンドオーバすることができる。
【００３９】
特定の特徴によれば、共同協調マルチポイント伝送を実行することによって、少なくとも２つのホーム基地局が協調する。
【００４０】
したがって、協調するホーム基地局は、メッセージを転送したホーム基地局によって転送されるデータのコピーを同期して送信し、そのホーム基地局によってハンドリングされる少なくとも１つの移動端末のためのデータ速度及びサービス品質を高める。
【００４１】
特定の特徴によれば、メッセージを転送したホーム基地局の隣接局であるホーム基地局のリストは、メッセージを転送したホーム基地局によってハンドリングされる少なくとも１つの移動端末によって転送される少なくとも１つの測定報告から入手され、及び／又は、メッセージを転送したホーム基地局からの少なくとも１つの測定値によって入手される。
【００４２】
したがって、正確な測定に基づいているので、隣接ホーム基地局の判定は正確である。
【００４３】
隣接ホーム基地局の判定のために、少なくとも１つの移動端末によって転送される測定報告が用いられても、実際には、システム全体は複雑にはならない。
【００４４】
特定の特徴によれば、ホーム基地局が、移動端末が関与する新たな通信を引き受けるだけの十分な資源を有する場合には、該ホーム基地局は少なくとも１つの他のホーム基地局と協調するために利用可能である。
【００４５】
したがって、少なくとも１つの他のホーム基地局と協調するだけの十分な資源を有する場合にのみ、ホーム基地局はコーディネータに自律的に接続することになり、シグナリングオーバーヘッドを限定し、資源を節約する。
【００４６】
特定の特徴によれば、ホーム基地局と通信ネットワークとの間のリンク品質が所定の値よりも高い場合には、該ホーム基地局は少なくとも１つの他のホーム基地局と協調するために利用可能である。
【００４７】
したがって、ホーム基地局は協調セッション障害を最小限に抑え、そのホーム基地局によってハンドリングされる少なくとも１つの移動端末に良好なサービス品質を提供するであろう。
【００４８】
特定の特徴によれば、ホーム基地局のホルダが該ホーム基地局を協調モードに構成する場合には、該ホーム基地局は少なくとも１つの他のホーム基地局と協調するために利用可能である。
【００４９】
したがって、これは、ホーム基地局資源がむやみに使用されるのを限定することによって、メッセージを転送したホーム基地局との協調の安全性を高めるであろう。ホーム基地局のホルダは、そのホーム基地局の大量の資源を必要とするときに、自らの判断によって、そのホーム基地局の資源を共用するのを回避してもよい。
【００５０】
さらに別の態様によれば、本発明は、プログラム可能なデバイス内に直接ロード可能であり得るコンピュータプログラムであって、該コンピュータプログラムがプログラム可能なデバイスにおいて実行されるときに、本発明による方法のステップを実施するための命令又はコード部分を含む、コンピュータプログラムに関する。
【００５１】
コンピュータプログラムに関連する特徴及び利点は、本発明による方法及びデバイスに関連する上記の特徴及び利点と同じであるため、ここでは繰り返さない。
【００５２】
本発明の特徴は例示的な実施形態に関する以下の説明を読むことからさらに明らかになるはずであり、該説明は添付の図面を参照しながら提示される。
【図面の簡単な説明】
【００５３】
【図１】本発明が実施される無線セルラー通信ネットワークを表す図である。
【図２】本発明が実施されるコーディネータのアーキテクチャを表す図である。
【図３】本発明が実施されるホーム基地局のアーキテクチャを表す図である。
【図４】本発明による各ホーム基地局によって実行されるアルゴリズムの一例を開示する図である。
【図５ａ】本発明によるコーディネータによって実行されるアルゴリズムの一例を開示する図である。
【図５ｂ】本発明によるコーディネータによって実行されるアルゴリズムの一例を開示する図である。
【発明を実施するための形態】
【００５４】
図１は、本発明が実施される無線セルラー通信ネットワークを表す。
【００５５】
その無線セルラー通信ネットワークは、図１には示されないホーム基地局の複数のセルから構成され、ホーム基地局Ｂｉの複数のマイクロセルＣｆｉを含む。ただし、ｉ＝１〜７である。
【００５６】
明確にするために、図１には７つのホーム基地局Ｂ１〜Ｂ７及び７つのマイクロセルＣｆ１〜Ｃｆ７しか表されないが、無線セルラー通信ネットワークは、より重要な数のノード又はホーム基地局及びセルを含む。
【００５７】
ホーム基地局Ｂ１〜Ｂ７はフェムト基地局又はピコ基地局とも呼ばれる。
【００５８】
ホーム基地局Ｂ１〜Ｂ７は、それぞれのセルＣｆ１〜Ｃｆ７内に位置する移動端末によって転送される信号を受信することができる。ホーム基地局Ｂ１〜Ｂ７は、それぞれのセルＣｆ１〜Ｃｆ７内に位置する移動端末が受信し処理することができる信号を転送する。
【００５９】
無線セルラー通信ネットワークは、図１には示されないが、無線セルラー通信ネットワークの動作を管理する少なくとも１つのコアネットワークデバイスを含む。
【００６０】
ホーム基地局Ｂ１〜Ｂ７の協調は、コーディネータ１０と呼ばれるデバイスによって管理される。
【００６１】
図１において、コーディネータ１０は、基地局、ホーム基地局Ｂ１〜Ｂ７およびコアネットワークデバイスとは異なるデバイスである。他の実現例では、コーディネータ１０は１つのホーム基地局Ｂ１〜Ｂ７内に含まれてもよく、図１には示されない基地局内に含まれてもよく、１つのコアネットワークデバイス内に含まれてもよい。
【００６２】
ホーム基地局Ｂ１〜Ｂ７は互いに近くに位置するので、セルＣｆ１〜Ｃｆ７は互いに重なり合う。２つのホーム基地局のセルが重なり合うとき、２つのホーム基地局は隣接局であると見なされる。
【００６３】
ホーム基地局Ｂ１はホーム基地局Ｂ５の隣接局である。
【００６４】
ホーム基地局Ｂ２はホーム基地局Ｂ３及びＢ４の隣接局である。
【００６５】
ホーム基地局Ｂ３はホーム基地局Ｂ２、Ｂ４、Ｂ６及びＢ７の隣接局である。
【００６６】
ホーム基地局Ｂ４はホーム基地局Ｂ２、Ｂ３、Ｂ５及びＢ６の隣接局である。
【００６７】
ホーム基地局Ｂ５はホーム基地局Ｂ１、Ｂ４及びＢ６の隣接局である。
【００６８】
ホーム基地局Ｂ６はホーム基地局Ｂ３、Ｂ４及びＢ５の隣接局である。
【００６９】
ホーム基地局Ｂ７はホーム基地局Ｂ３の隣接局である。
【００７０】
本発明によれば、コーディネータ１０は、
‐１つのホーム基地局から、該ホーム基地局が少なくとも１つの他のホーム基地局と協調するために利用可能であることを通知するメッセージを受信し、
‐メッセージを転送したホーム基地局の隣接局であるホーム基地局のリストを入手し、
‐メッセージを転送したホーム基地局の隣接局である少なくとも１つのホーム基地局が、少なくとも１つの他のホーム基地局と協調するために利用可能であるか否かを調べ、
‐メッセージを転送したホーム基地局と、前記少なくとも１つのホーム基地局（ただし、前記ホーム基地局の隣接局であると共に、協調するために利用可能であるもの）によって使用されるべき共通パラメータを決定し、
‐メッセージを転送したホーム基地局に、及び／又は、前記少なくとも１つのホーム基地局（ただし、前記ホーム基地局の隣接局であると共に、協調するために利用可能であるもの）に決定された共通パラメータを転送し、
‐メッセージを転送したホーム基地局と、及び、前記少なくとも１つのホーム基地局（ただし、前記ホーム基地局の隣接局であると共に、協調するために利用可能であるもの）との接続を確立し、ここで、接続の確立は、
メッセージを転送したホーム基地局から受信される情報を、前記又は各ホーム基地局（ただし、前記ホーム基地局の隣接局であると共に、協調するために利用可能であるもの）に中継することによって、及び／又は、
前記又は各ホーム基地局（ただし、前記ホーム基地局の隣接局であると共に、協調するために利用可能であるもの）から受信される情報を、メッセージを転送したホーム基地局に中継することによって、行われる。
【００７１】
各ホーム基地局Ｂｉは図１には示されない通信ネットワークにリンクされる。
【００７２】
リンクＬ２はホーム基地局Ｂ２及びコーディネータ１０をリンクする。
【００７３】
リンクＬ６はホーム基地局Ｂ６及びコーディネータ１０をリンクする。
【００７４】
リンクＬ４はホーム基地局Ｂ４及びコーディネータ１０をリンクする。
【００７５】
リンクＬ２及びＬ４は、コーディネータ１０を使用するホーム基地局Ｂ２とＢ４との間の接続を表し、コーディネータ１０は協調セッション中に中継局としての役割を果たす。
【００７６】
リンクＬ２及びＬ６は、コーディネータ１０を使用するホーム基地局Ｂ２とＢ６との間の接続を表し、コーディネータ１０は協調セッション中に中継局としての役割を果たす。
【００７７】
リンクＬ２、Ｌ４及びＬ６は、ＤＳＬネットワーク、又は統合サービスデジタル網、又はインターネットネットワーク、又はＰＳＴＮネットワーク、又は無線ネットワーク、又は上記のネットワークのうちの少なくとも２つの組み合わせのような通信ネットワーク上で確立される。
【００７８】
図２は、本発明が実施されるコーディネータのアーキテクチャを表す図である。
【００７９】
コーディネータ１０は、たとえば、バス２０１によって互いに接続される構成要素と、図５ａ及び図５ｂにおいて開示されるようなプログラムによって制御されるプロセッサ２００とに基づくアーキテクチャを有する。
【００８０】
プロセッサに基づく代わりに、コーディネータのアーキテクチャは専用の集積回路に基づいてもよいことに留意されたい。
【００８１】
バス２０１は、プロセッサ２００を、リードオンリーメモリＲＯＭ２０２、ランダムアクセスメモリＲＡＭ２０３及びネットワークインターフェース２０６にリンクする。
【００８２】
メモリ２０３は、変数を収容することを意図するレジスタと、図５ａ及び図５ｂにおいて開示されるようなアルゴリズムに関連するプログラムの命令とを含む。
【００８３】
プロセッサ２００は、ネットワークインターフェース２０６の動作を制御する。
【００８４】
リードオンリーメモリ２０２は、図５ａ及び図５ｂにおいて開示されるようなアルゴリズムに関連するプログラムの命令を含み、それらの命令は、コーディネータ１０の電源が投入されるときに、ランダムアクセスメモリ２０３に転送される。
【００８５】
コーディネータ１０は、ネットワークインターフェース２０６を通じて、通信ネットワークに接続される。
【００８６】
たとえば、ネットワークインターフェース２０６はＤＳＬ（デジタル加入者線）モデム、又はＩＳＤＮ（統合サービスデジタル網）インターフェース等である。
【００８７】
ネットワークインターフェース２０６を通じて、コーディネータ１０は、無線セルラー通信ネットワークのコアネットワークデバイスにメッセージを転送し、且つ／又はそのデバイスからメッセージを受信する場合がある。
【００８８】
ネットワークインターフェース２０６は、互いに協調するホーム基地局間でメッセージ及びデータを中継するためにも用いられる。
【００８９】
図３は、本発明が実施されるホーム基地局のアーキテクチャを表す図である。
【００９０】
各ホーム基地局Ｂｉ（ただし、ｉ＝１〜７）は、たとえば、バス３０１によって互いに接続される構成要素と、図４において開示されるようなプログラムによって制御されるプロセッサ３００とに基づくアーキテクチャを有する。
【００９１】
プロセッサに基づく代わりに、コーディネータのアーキテクチャは専用の集積回路に基づいてもよいことに留意されたい。
【００９２】
バス３０１は、プロセッサ３００を、リードオンリーメモリＲＯＭ３０２、ランダムアクセスメモリＲＡＭ３０３、無線インターフェース３０５及びネットワークインターフェース３０６にリンクする。
【００９３】
メモリ３０３は、変数を収容することを意図するレジスタと、図４において開示されるようなアルゴリズムに関連するプログラムの命令とを含む。
【００９４】
プロセッサ３００は、ネットワークインターフェース３０６の動作を制御し、無線インターフェース３０５の動作を制御する。
【００９５】
リードオンリーメモリ３０２は、図４において開示されるようなアルゴリズムに関連するプログラムの命令を含み、それらの命令は、ホーム基地局Ｂｉの電源が投入されるときに、ランダムアクセスメモリ３０３に転送される。
【００９６】
ホーム基地局Ｂｉは、ネットワークインターフェース３０６を通じて、通信ネットワークに接続される。たとえば、ネットワークインターフェース３０６はＤＳＬ（デジタル加入者線）モデム、又はＩＳＤＮ（統合サービスデジタル網）インターフェース等である。
【００９７】
ネットワークインターフェース３０６を通じて、ホーム基地局Ｂｉは、コーディネータ１０にメッセージを転送し、且つ／又はコーディネータ１０からメッセージを受信することができる。
【００９８】
図４は、本発明による各ホーム基地局によって実行されるアルゴリズムの一例を開示する。
【００９９】
より厳密には、本アルゴリズムは、各ホーム基地局Ｂｉのプロセッサ３００によって実行される。ただし、ｉ＝１〜７である。
【０１００】
本アルゴリズムは周期的に、又は特定の事象に関して実行される。
【０１０１】
ステップＳ４００において、プロセッサ３００は、ホーム基地局Ｂｉが他のホーム基地局と協調するために利用可能であるか否かを調べる。
【０１０２】
ホーム基地局Ｂｉが、移動端末が関与する新たな通信を引き受けるための無線資源のような十分な資源を有する場合には、ホーム基地局Ｂｉは他のホーム基地局と協調するために利用可能であり、且つ／又は、通信ネットワーク上のホーム基地局間のリンク品質が所定の値よりも高い場合には、ホーム基地局Ｂｉは他のホーム基地局と協調するために利用可能であり、且つ／又は、ホーム基地局Ｂｉのホルダがそのホーム基地局を協調モードに構成するときには、ホーム基地局Ｂｉは他のホーム基地局と協調するために利用可能である。
【０１０３】
ホーム基地局Ｂｉが、コーディネータ１０から、現在の協調セッションが解放されたことを指示するメッセージを受信する場合には、そのホーム基地局Ｂｉは他のホーム基地局と協調するために利用可能である。
【０１０４】
ホーム基地局Ｂｉが、コーディネータ１０から、協調セッションが開始されたことを指示するメッセージを受信する場合には、そのホーム基地局Ｂｉは他のホーム基地局と協調するために利用可能である。
【０１０５】
そのホーム基地局Ｂｉが他のホーム基地局と協調するために利用可能である場合には、プロセッサ３００はステップＳ４０１に進む。そうでない場合には、プロセッサ３００はステップＳ４１４に進む。
【０１０６】
ステップＳ４０１において、プロセッサ３００は、そのホーム基地局Ｂｉが、他のホーム基地局と協調中として、又は協調するために利用可能であるとして、コーディネータ１０において現在登録されているか否かを調べる。
【０１０７】
そのホーム基地局Ｂｉが、他のホーム基地局と協調中として、又は協調するために利用可能であるとして、コーディネータ１０において現在登録されている場合には、プロセッサ３００はステップＳ４０２に進む。そうでない場合には、プロセッサ３００はステップＳ４２０に進む。
【０１０８】
ステップＳ４２０において、プロセッサ３００は、そのホーム基地局Ｂｉが、コーディネータ１０から、協調セッションが開始されたことを指示するメッセージを受信するか否かを調べる。
【０１０９】
そのホーム基地局Ｂｉが、コーディネータ１０から、協調セッションが開始されたことを指示するメッセージを受信する場合には、プロセッサ３００はステップＳ４１１に進む。そうでない場合には、プロセッサ３００は本アルゴリズムを中断する。
【０１１０】
ステップＳ４０２において、プロセッサ３００は、ホーム基地局Ｂｉによって管理される少なくとも１つの移動端末から以前に受信されていた少なくとも１つの測定報告を入手し、且つ／又は、ホーム基地局内で行われた少なくとも１つの測定報告を入手する。
【０１１１】
移動端末が、ホーム基地局Ｂｉを通じて、遠隔の(remote)通信デバイスとの通信を受信又は確立することができるとき、その移動端末はホーム基地局Ｂｉによって管理されるか又はハンドリングされる。
【０１１２】
測定報告は、周囲のホーム基地局によって転送され、移動端末によって又はホーム基地局Ｂｉによって受信される信号の信号電力強度を表す情報を含む。
【０１１３】
次のステップＳ４０３において、プロセッサ３００は、ネットワークインターフェース３０６を通じて、コーディネータ１０に、登録メッセージを転送するように命令する。
【０１１４】
登録メッセージは、他のホーム基地局と協調するための、ホーム基地局Ｂｉの利用可能性を表す。
【０１１５】
登録メッセージは、ホーム基地局の少なくとも１つのパラメータをさらに含む。
【０１１６】
この少なくとも１つのパラメータは、
アップリンク及び／若しくはダウンリンクチャネルのために用いられる１つ又は複数の搬送波周波数であってもよく、並びに／又は、
ホーム基地局Ｂｉのクロックに関連する情報であってもよく、並びに／又は、
アップリンク及び／若しくはダウンリンクチャネルのために用いられる１つ又は複数の周波数帯域であってもよい。
【０１１７】
次のステップＳ４０４において、プロセッサ３００は、ネットワークインターフェース３０６を通じて、コーディネータ１０に、ホーム基地局Ｂｉの隣接局であるホーム基地局のリストを表す情報を転送するように命令する。
【０１１８】
ホーム基地局Ｂｉの隣接局であるホーム基地局のリストを表す情報は、隣接ホーム基地局の識別子であってもよく、又は少なくとも１つの測定報告であってもよい。
【０１１９】
次のステップＳ４０５において、プロセッサ３００は、協調のために期待される目標性能を転送するように命令する。
【０１２０】
目標性能は、期待されるサービス品質（期待されるスループット又は期待されるレイテンシのようなもの）とすることができる。目標性能は、ホーム基地局Ｂｉと協調するために利用可能であるホーム基地局の最小数であってもよい。
【０１２１】
次のステップＳ４０６において、プロセッサ３００は、ネットワークインターフェース３０６を通じて、応答メッセージの受信を検出する。
【０１２２】
次のステップＳ４０７において、プロセッサ３００は、その応答メッセージが協調を受け入れることを表すか否かを調べる。その応答メッセージは、ネットワークインターフェース３０６を通じて、コーディネータ１０から受信される。
【０１２３】
その応答メッセージが協調を受け入れることを表す場合には、プロセッサ３００はステップＳ４１１に進む。そうでない場合には、プロセッサ３００はステップＳ４０８に進む。
【０１２４】
ステップＳ４０８において、プロセッサ３００は、応答メッセージが待機通知を表すか否かを調べる。
【０１２５】
応答メッセージが待機通知を表す場合には、プロセッサ３００はステップＳ４０６に戻り、コーディネータ１０から新たなメッセージが受信されるのを待つ。そうでない場合には、プロセッサ３００はステップＳ４０９に進む。
【０１２６】
ステップＳ４０９において、プロセッサ３００は、ホーム基地局Ｂｉが協調のために割り当てる準備ができている資源の量を要求するメッセージが受信されているか否かを調べる。このメッセージはコーディネータ１０によって転送される。
【０１２７】
ホーム基地局Ｂｉが協調のために割り当てる準備ができている資源の量を要求するメッセージが受信されている場合には、プロセッサはステップＳ４１０に進む。そうでない場合には、コーディネータ１０によって協調が拒否され、プロセッサ３００は本アルゴリズムを中断する。
【０１２８】
ステップＳ４１０において、プロセッサ３００は、ホーム基地局Ｂｉが協調のために割り当てる準備ができている資源の量を判定する。
【０１２９】
ホーム基地局Ｂｉが協調のために割り当てる準備ができている資源の量は、ホーム基地局Ｂｉのホルダによって設定され、ＲＡＭメモリ３０３に格納されてもよい。
【０１３０】
ホーム基地局Ｂｉが協調のために割り当てる準備ができている資源の量は、時間とともに変化し得る値として定義されてもよい。
【０１３１】
同じステップにおいて、プロセッサ３００は、ホーム基地局Ｂｉが協調のために割り当てる準備ができている資源の量を含むメッセージをコーディネータ１０に転送するように命令する。
【０１３２】
その後、プロセッサ３００はステップＳ４０６に戻る。
【０１３３】
ステップＳ４１１において、プロセッサ３００は、協調のためにホーム基地局Ｂｉによって用いられるべき少なくとも１つのパラメータを含む、コーディネータ１０からのメッセージの受信を検出する。
【０１３４】
この少なくとも１つのパラメータは、アップリンク及び／若しくはダウンリンクチャネルのために用いられる１つ又は複数の搬送波周波数であってもよく、並びに／又は、ホーム基地局Ｂｉのクロック同期に関連する情報であってもよく、並びに／又は、アップリンク及び／若しくはダウンリンクチャネルのために用いられる１つ又は複数の周波数帯域であってもよい。
【０１３５】
次のステップＳ４１２において、協調のためにホーム基地局Ｂｉによって用いられるべきこの少なくとも１つのパラメータを、ホーム基地局Ｂｉによって適用する。
【０１３６】
次のステップＳ４１３において、プロセッサ３００は協調セッションを開始する。
【０１３７】
ホーム基地局Ｂｉとコーディネータ１０との間にリンクが確立され、また、協調のために利用可能である少なくとも１つの隣接ホーム基地局とコーディネータ１０との間にリンクが確立される。
【０１３８】
第１の実現例によれば、協調セッションは、ホーム基地局Ｂｉと協調のために利用可能である少なくとも１つの隣接ホーム基地局との間での移動端末のハンドオーバとすることができる。
【０１３９】
ホーム基地局Ｂｉは、コーディネータ１０から、転送されるデータを暗号化できるようにする情報と、制御情報のような進行中の通信に関連する情報と、データとを受信する。
【０１４０】
第２の実現例によれば、協調セッションは共同協調マルチポイント伝送(Joint coordinated multi-point transmission)（Ｊ−ＣｏＭＰ）とすることができる。
【０１４１】
共同協調マルチポイント伝送は、複数のホーム基地局ＨＢＳが少なくとも１つの移動端末に同じデータフローを同期送信するマルチキャスト伝送である。
【０１４２】
ホーム基地局Ｂｉは、協調のために利用可能である少なくとも１つの隣接ホーム基地局のようにコーディネータ１０と同期する。ホーム基地局Ｂｉ及び少なくとも１つの隣接ホーム基地局は、通信に関連する情報をコーディネータ１０から受信し且つコーディネータ１０に送信し、コーディネータ１０は、基地局Ｂｉのデータ及び制御情報のための中継局としての役割を果たす。
【０１４３】
その後、プロセッサ３００は本アルゴリズムを中断する。
【０１４４】
ステップＳ４１４において、プロセッサ３００は、ホーム基地局Ｂｉが他のホーム基地局と協調するために利用可能であるとして、コーディネータ１０において現在登録されているか否かを調べる。
【０１４５】
ホーム基地局Ｂｉが他のホーム基地局と協調するために利用可能であるとして、コーディネータ１０において現在登録されている場合には、プロセッサ３００はステップＳ４１５に進む。そうでない場合には、プロセッサ３００はステップＳ４２０に進む。
【０１４６】
ステップＳ４１５において、プロセッサ３００は、ネットワークインターフェース３０６を通じて、登録取消メッセージをコーディネータ１０に転送するように命令する。
【０１４７】
登録取消メッセージは、他のホーム基地局と協調するためにはホーム基地局Ｂｉが利用不可能であることを表す。
【０１４８】
その後、プロセッサ３００は本アルゴリズムを中断する。
【０１４９】
図５ａ及び図５ｂは、本発明によるコーディネータによって実行されるアルゴリズムの一例を開示する。
【０１５０】
より厳密には、本アルゴリズムはコーディネータ１０のプロセッサ２００によって実行される。
【０１５１】
図５ａのステップＳ５００において、プロセッサ２００は、ネットワークインターフェース２０６によるメッセージの受信を検出する。
【０１５２】
次のステップＳ５０１において、プロセッサ２００は、受信されたメッセージが、１つのホーム基地局、たとえばホーム基地局Ｂ４によって転送された登録メッセージであるか否かを調べる。
【０１５３】
登録メッセージは、他のホーム基地局と協調するための、ホーム基地局Ｂ４の利用可能性を表す。
【０１５４】
登録メッセージは、登録メッセージを転送したホーム基地局Ｂ４の少なくとも１つのパラメータをさらに含む。
【０１５５】
この少なくとも１つのパラメータは、アップリンク及び／若しくはダウンリンクチャネルのために用いられる１つ又は複数の搬送波周波数であってもよく、並びに／又は、ホーム基地局Ｂｉのクロックに関連する情報であってもよく、並びに／又は、アップリンク及び／若しくはダウンリンクチャネルのために用いられる１つ又は複数の周波数帯域であってもよい。
【０１５６】
受信されたメッセージが１つのホーム基地局によって転送された登録メッセージである場合には、プロセッサ２００はステップＳ５０２に進む。受信されたメッセージが１つのホーム基地局によって転送された登録取消メッセージである場合には、プロセッサ２００はステップＳ５２０に進む。
【０１５７】
次のステップＳ５０２において、プロセッサ２００は、ホーム基地局Ｂ４の隣接局であるホーム基地局のリストを入手する。
【０１５８】
ホーム基地局Ｂ４の隣接局であるホーム基地局のリストは、ホーム基地局Ｂ４によって転送されてもよい。
【０１５９】
ホーム基地局Ｂ４の隣接局であるホーム基地局のリストは、ホーム基地局Ｂ４によって転送される少なくとも１つの測定報告から、コーディネータ１０によって導出されてもよい。
【０１６０】
図１の例によれば、ホーム基地局Ｂ４の隣接局であるホーム基地局のリストには、ホーム基地局Ｂ２、Ｂ３、Ｂ５及びＢ６が含まれる。
【０１６１】
同時に、プロセッサ２００は、協調のためにホーム基地局Ｂ４によって期待される目標性能を受信する。
【０１６２】
目標性能は、期待されるサービス品質（期待されるスループット又は期待されるレイテンシのようなもの）とすることができる。目標性能は、ホーム基地局Ｂｉと協調すべきであるホーム基地局の最小数であってもよく、又は協調から期待される任意の他の目標性能であってもよい。
【０１６３】
次のステップＳ５０３において、プロセッサ２００は、ステップＳ５００において受信されたメッセージを送信したホーム基地局Ｂ４に関連付けられるフラグを値「１」に設定する。
【０１６４】
値「１」は、少なくとも１つの他のホーム基地局と協調するための、ホーム基地局Ｂ４の利用可能性を表す。
【０１６５】
次のステップＳ５０４において、プロセッサ２００は、ステップＳ５００において受信されたメッセージを送信したホーム基地局Ｂ４に関連する統計値を更新する。
【０１６６】
統計値は、他のホーム基地局と協調するための、ホーム基地局Ｂ４の利用可能性に関連する。
【０１６７】
たとえば、統計値は、１日又は１週間のうちのいずれかの期間において、ホーム基地局Ｂ４が他のホーム基地局と協調するために利用可能である確率を予測するために算出される。
【０１６８】
統計値は、ホーム基地局Ｂ４が他のホーム基地局との協調セッションにおいて割り当てる準備ができている資源の量に関連する。
【０１６９】
たとえば、統計値は、１日又は１週間のうちの種々の期間において、ホーム基地局Ｂ４が他のホーム基地局との協調セッションにおいて割り当てる準備ができている資源の量を予測するために評価される。
【０１７０】
次のステップＳ５０５において、プロセッサ２００は、ホーム基地局Ｂ４の隣接局であるホーム基地局のリスト内の第１のホーム基地局を選択する。
【０１７１】
たとえば、プロセッサ２００はホーム基地局Ｂ２を選択する。
【０１７２】
次のステップＳ５０６において、プロセッサ２００は、選択されたホーム基地局Ｂ２に関連付けられたフラグが値「１」に設定されているか否か、すなわち選択されたホーム基地局Ｂ２が協調するために利用可能であるか否かを調べる。
【０１７３】
たとえば、選択されたホーム基地局Ｂ２に関連付けられるフラグは値「１」に設定され、選択されたホーム基地局Ｂ３に関連付けられるフラグはヌル値に設定され、選択されたホーム基地局Ｂ５に関連付けられるフラグはヌル値に設定され、選択されたホーム基地局Ｂ６に関連付けられるフラグは値「１」に設定されている。
【０１７４】
選択されたホーム基地局Ｂ４に関連付けられるフラグが値「１」に設定される場合には、プロセッサ２００はステップＳ５０７に進む。そうでない場合には、プロセッサ２００はステップＳ５０８に進む。
【０１７５】
ステップＳ５０７において、プロセッサ２００は、ステップＳ５００において受信されたメッセージを送信したホーム基地局Ｂ４と協調するために利用可能であるホーム基地局のリスト内で選択されたホーム基地局の識別を可能にする情報を格納する。
【０１７６】
プロセッサ２００は、ホーム基地局Ｂ４と協調するために利用可能であるホーム基地局のリスト内で選択されたホーム基地局Ｂ２の識別を可能にする情報を格納する。
【０１７７】
その後、プロセッサ２００はステップＳ５０８に進む。
【０１７８】
ステップＳ５０８において、プロセッサ２００は、ホーム基地局Ｂ４の隣接局であるホーム基地局のリスト内に含まれる各ホーム基地局がすでに選択されたか否かを調べる。
【０１７９】
ホーム基地局Ｂ４の隣接局であるホーム基地局のリスト内に含まれる各ホーム基地局がすでに選択されていた場合には、プロセッサ２００はステップＳ５１０に進む。そうでない場合には、プロセッサ２００はステップＳ５０９に進む。
【０１８０】
上記の例によれば、プロセッサ２００はステップＳ５０９に進み、ホーム基地局Ｂ３、Ｂ５及びＢ６を逐次的に選択し、ホーム基地局Ｂ４と協調するために利用可能なホーム基地局のリスト内のホーム基地局Ｂ３及びＢ５の識別を可能にする情報を格納せず、ホーム基地局Ｂ４と協調するために利用可能なホーム基地局のリスト内のホーム基地局Ｂ６の識別を可能にする情報を格納する。
【０１８１】
ステップＳ５１０において、プロセッサ２００は、ステップＳ５００において受信されたメッセージを転送したホーム基地局Ｂ４と協調するために利用可能なホーム基地局のリストが空であるか否かを調べる。
【０１８２】
ステップＳ５００において受信されたメッセージを転送したホーム基地局Ｂ４と協調するために利用可能なホーム基地局のリストが空である場合には、プロセッサ２００はステップＳ５１２に進む。そうでない場合には、プロセッサ２００は図５ｂのステップＳ５５０に進む。
【０１８３】
ステップＳ５１２において、プロセッサ２００は、ステップＳ５００において受信されたメッセージを送信したホーム基地局Ｂ４と協調するために利用可能なホーム基地局のリスト内に含まれない各隣接ホーム基地局に関連する統計値を入手する。
【０１８４】
統計値は、ホーム基地局Ｂ４と協調するために利用可能なホーム基地局のリスト内に含まれない隣接ホーム基地局の、他のホーム基地局と協調するための利用可能性に関連する。
【０１８５】
たとえば、統計値は、１日又は１週間のうちのいずれの期間において、ホーム基地局Ｂ４と協調するために利用可能なホーム基地局のリスト内に含まれない隣接ホーム基地局が、ホーム基地局Ｂ４と協調するために利用可能となるかを予測するように意図されてもよい。
【０１８６】
次のステップＳ５１３において、プロセッサ２００は、これらのホーム基地局のうちの１つが、ホーム基地局Ｂ４と協調するために、近い将来（たとえば１時間以内）に利用可能になる可能性があるか否か調べる。これは、ステップＳ５００において受信されたメッセージを送信したホーム基地局Ｂ４と協調するために利用可能なホーム基地局のリスト内に含まれない少なくとも１つの隣接ホーム基地局に関連する統計値に従ってなされる。
【０１８７】
ホーム基地局Ｂ４と協調するために利用可能なホーム基地局のリスト内に含まれない少なくとも１つの隣接ホーム基地局が、ホーム基地局Ｂ４と協調するために、近い将来に利用可能になる可能性がある場合には、プロセッサ２００はステップＳ５１４に進む。そうでない場合には、プロセッサ２００はステップＳ５１５に進む。
【０１８８】
ステップＳ５１４において、プロセッサ２００は、待機通知を表す応答メッセージをホーム基地局Ｂ４に転送するように命令する。
【０１８９】
その後、プロセッサ２００は、本アルゴリズムを再び実行するために、新たなメッセージが受信されるのを待つ。待機時間は、プロセッサ２００内の内部タイマによって、又はコアネットワークからの通知によって制御される。
【０１９０】
ステップＳ５１５において、プロセッサ２００は、協調セッションが受け入れられないことを通知する応答メッセージを、ステップＳ５００において受信されたメッセージを転送したホーム基地局に転送するように命令する。
【０１９１】
その後、プロセッサ２００は、本アルゴリズムを再び実行するために、新たなメッセージが受信されるのを待つ。
【０１９２】
待機時間は、プロセッサ２００内の内部タイマによって、又はコアネットワークからの通知によって制御される。
【０１９３】
図５ｂのステップＳ５５０において、プロセッサ２００は、ホーム基地局Ｂ４のための協調する隣接局リスト内で特定される各ホーム基地局Ｂ２、Ｂ６が協調のために割り当てる準備ができている資源の量を要求するメッセージを、各ホーム基地局Ｂ２、Ｂ６に転送するように命令する。
【０１９４】
次のステップＳ５５１において、プロセッサ２００は、ホーム基地局Ｂ４のための協調する隣接局リスト内で特定される各ホーム基地局Ｂ２、Ｂ６によって転送される応答メッセージの受信を検出する。その応答メッセージは、ホーム基地局Ｂ２及びＢ６が協調のために割り当てる準備ができている資源の量を含む。
【０１９５】
次のステップＳ５５２において、プロセッサ２００は、ステップＳ５５１において受信された１つ又は複数のメッセージを用いて、協調のために利用可能である全資源を判定する。
【０１９６】
この全資源は、サービス品質（スループット又はレイテンシのようなもの）であってもよい。全資源は、ホーム基地局Ｂ４と協調するために利用可能なホーム基地局の数であってもよい。
【０１９７】
次のステップＳ５５３において、プロセッサ２００は、ステップＳ５５２において判定された全資源がステップＳ５０２において受信された目標性能に適合するか否かを調べる。
【０１９８】
全資源が目標性能に適合する場合には、プロセッサ２００はステップＳ５５８に進む。そうでない場合には、プロセッサ２００はステップＳ５５４に進む。
【０１９９】
ステップＳ５５４において、プロセッサ２００は、ステップＳ５００において受信されたメッセージを送信したホーム基地局Ｂ４と協調するために利用可能なホーム基地局のリスト内に含まれる又は含まれない隣接ホーム基地局に関連する統計値を入手する。
【０２００】
統計値は、ホーム基地局Ｂ４と協調するために利用可能なホーム基地局のリスト内に含まれるホーム基地局が、協調セッションにおいて割り当てる準備ができている資源の量に関連していてもよい。
【０２０１】
たとえば、統計値は、１日又は１週間のうちの種々の期間において、ホーム基地局Ｂ２及びＢ６が他のホーム基地局との協調セッションにおいて割り当てる準備ができている資源の量を予測する。
【０２０２】
統計値は、他のホーム基地局と協調するための、ホーム基地局Ｂ４と協調するために利用可能なホーム基地局のリスト内に含まれない隣接ホーム基地局の利用可能性に関連する。
【０２０３】
たとえば、統計値は、１日又は１週間のうちの種々の期間において、ホーム基地局Ｂ３及びＢ５がホーム基地局との協調セッションにおいて割り当てる準備ができている資源の量を予測する。
【０２０４】
次のステップＳ５５５において、プロセッサ２００は、その統計値に従って、将来において見込まれる協調が設定される可能性があるか否かを調べる。
【０２０５】
将来において見込まれる協調が設定される可能性がある場合には、プロセッサ２００はステップＳ５５６に進む。そうでない場合には、プロセッサ２００はステップＳ５５７に進む。
【０２０６】
ステップＳ５５６において、プロセッサ２００は、待機通知を表す応答メッセージをホーム基地局Ｂ４に転送するように命令する。
【０２０７】
その後、プロセッサ２００は、本アルゴリズムを再び実行するために、新たなメッセージが受信されるのを待つ。待機時間は、プロセッサ２００内の内部タイマによって、又はコアネットワークからの通知によって制御される。
【０２０８】
ステップＳ５５７において、プロセッサ２００は、協調セッションが受け入れられないことを通知する応答メッセージを、ステップＳ５００において受信されたメッセージを転送したホーム基地局に転送するように命令する。
【０２０９】
その後、プロセッサ２００は、本アルゴリズムを再び実行するために、新たなメッセージが受信されるのを待つ。待機時間は、プロセッサ２００内の内部タイマによって、又はコアネットワークからの通知によって制御される。
【０２１０】
ステップＳ５５８において、プロセッサ２００は、協調のためにホーム基地局Ｂ２、Ｂ４及びＢ６によって使用されるべきこの少なくとも１つのパラメータを決定する。
【０２１１】
この少なくとも１つのパラメータは、アップリンク及び／若しくはダウンリンクチャネルのために用いられる１つ又は複数の搬送波周波数であってもよく、並びに／又は、ホーム基地局Ｂｉのクロック同期に関連する情報であってもよく、並びに／又は、アップリンク及び／若しくはダウンリンクチャネルのために用いられる１つ又は複数の周波数帯域であってもよい。
【０２１２】
次のステップＳ５５９において、プロセッサ３００は、協調のためにホーム基地局Ｂ２、Ｂ４及びＢ６によって使用されるべきこの少なくとも１つのパラメータを含むメッセージを、ホーム基地局Ｂ２、Ｂ４及びＢ６に転送するように命令する。
【０２１３】
次のステップＳ５６０において、プロセッサ２００は協調セッションを設定する。
【０２１４】
プロセッサ２００は、ステップＳ５００において受信されたメッセージを転送したホーム基地局Ｂ４との協調セッションが開始されることを通知するメッセージを、ステップＳ５００において受信されたメッセージを転送したホーム基地局Ｂ４と協調するために利用可能なホーム基地局のリスト内に含まれる少なくとも１つのホーム基地局に転送するように命令する。
【０２１５】
プロセッサ２００は、協調セッションが受け入れられたことを通知する応答メッセージを、ステップＳ５００において受信されたメッセージを転送したホーム基地局Ｂ４に転送するように命令する。
【０２１６】
プロセッサ２００は、通信ネットワークにおいて、リンクＬ２、Ｌ４及びＬ６を確立するように命令する。
【０２１７】
第１の実現例によれば、協調セッションは、ホーム基地局Ｂ４と、協調のために利用可能である１つの隣接ホーム基地局Ｂ２又はＢ６との間のハンドオーバとすることができる。
【０２１８】
プロセッサ２００は、転送されるデータを暗号化できるようにする情報と、進行中の通信に関連する情報（制御情報のようなもの）と、データとを、ホーム基地局Ｂ４及びＢ２に、又はＢ４及びＢ６に、又はＢ４、Ｂ２及びＢ６に、転送するように命令する。その際、コーディネータ１０は、ホーム基地局Ｂ４とＢ２との間で、又はＢ４とＢ６との間で、又はＢ４と、Ｂ２と、Ｂ６との間で、データを交換するための中継局としての役割を果たす。
【０２１９】
第２の実現例によれば、協調セッションは、共同協調マルチポイント伝送（Ｊ−ＣｏＭＰ）とすることができる。
【０２２０】
ホーム基地局Ｂ４及びＢ２は、又はＢ４及びＢ６は、又はＢ４、Ｂ２及びＢ６は、コーディネータ１０と同期する。
【０２２１】
ホーム基地局Ｂ４及びＢ２は、又はＢ４及びＢ６は、又はＢ４、Ｂ２及びＢ６は、コーディネータ１０（コーディネータ１０は、ホーム基地局Ｂ４とＢ２との間で、又はＢ４とＢ６との間で、又はＢ４と、Ｂ２と、Ｂ６との間で、データを交換するための中継局としての役割を果たす）から通信に関連する情報を受信し、且つコーディネータ１０に通信に関連する情報を送信する。
【０２２２】
その後、プロセッサ２００は、本アルゴリズムを再び実行するために、新たなメッセージが受信されるのを待つ。
【０２２３】
ステップＳ５２０において、プロセッサ２００は、ステップＳ５００において受信されたメッセージを送信したホーム基地局Ｂ４に関連付けられたフラグをヌル値に設定する。
【０２２４】
ヌル値は、そのホーム基地局が少なくとも１つの他のホーム基地局と協調するためには利用不可能であることを表す。
【０２２５】
次のステップＳ５２１において、プロセッサ２００は、ステップＳ５００において受信されたメッセージを送信したホーム基地局に関連する統計値を更新する。
【０２２６】
次のステップＳ５２２において、プロセッサ２００は、ステップＳ５００において受信されたメッセージを送信したホーム基地局が関与する協調セッションを中止する。
【０２２７】
プロセッサ２００は、協調セッションが中止されたことを通知するメッセージを、ステップＳ５００において受信されたメッセージを転送したホーム基地局と現在協調している各ホーム基地局に転送するように命令する。
【０２２８】
プロセッサ２００は、協調セッションが中止されたことを通知するメッセージを、ステップＳ５００において受信されたメッセージを転送したホーム基地局に転送するように命令する。
【０２２９】
ステップＳ５００においてメッセージを転送したホーム基地局との接続と、各ホーム基地局（ただし、ステップＳ５００においてメッセージを転送したホーム基地局の隣接局である基地局であって、協調するために利用可能であるもの）との接続とが解放される。
【０２３０】
コーディネータ１０は、協調しているホーム基地局間の情報を中継するのを止める。
【０２３１】
その後、プロセッサ２００は、本アルゴリズムを再び実行するために、新たなメッセージが受信されるのを待つ。
【０２３２】
当然、本発明の範囲から逸脱することなく、上記の本発明の実施形態に対して、数多くの変更を加えることができる。
【図１】
0005492724.tif 000002
【図２】
0005492724.tif 000003
【図３】
0005492724.tif 000004
【図４】
0005492724.tif 000005
【図５ａ】
0005492724.tif 000006
【図５ｂ】
0005492724.tif 000007